(57)【要約】【課題】  主光源部を保護する保護部材が容易に取り付けられるとともに、前面側のカバーに間接光による輝度むらが発生することを防止できる照明器具を提供する。【解決手段】  照明器具１００は、主光源部１３０と、複数個の間接光光源部１６０と、表面１２０ａ側に主光源部１３０が設けられ、背面１２０ｂ側に間接光光源部１６０が周方向に沿って設けられ、複数個の開口１２５が間接光光源部１６０により囲まれる領域に設けられた器具本体１２０と、主光源１３３および間接光光源１６３に給電する電源部１１０と、開口１２５に挿入された爪部１４３が器具本体１２０に係止し、主光源部１３０を覆って器具本体１２０に取り付けられる透光性の保護部材１４０と、保護部材１４０を覆って器具本体１２０に取り付けられる前面カバー１５０と、を具備している。【選択図】図４
2015201355.tif 000002
【特許請求の範囲】
【請求項１】
平板状の基板およびこの基板の一面側に実装され前記基板の周方向に沿って配設された複数個の主光源を有する主光源部と；
間接光光源を有する複数個の間接光光源部と；
表面側に前記主光源部が設けられ、背面側に前記間接光光源部が周方向に沿って設けられ、表面および背面が連通する複数個の開口が前記間接光光源部により囲まれる領域内に周方向に沿って設けられた器具本体と；
この器具本体の背面側に設けられ、前記主光源および前記間接光光源に給電する電源部と；
前記開口に挿入されて前記器具本体に係止する爪部を有し、前記主光源部の前面側から前記基板を覆って前記器具本体に取り付けられる透光性の保護部材と；
この保護部材を覆って前記器具本体に取り付けられる透光性の前面カバーと；
を具備していることを特徴とする照明器具。
【請求項２】
前記電源部は、四角形の形状に形成され、その外壁側に前記間接光光源部が設けられ、その内部に前記開口が露出するように設けられていることを特徴とする請求項１記載の照明器具。
【発明の詳細な説明】
【技術分野】
【０００１】
本発明の実施形態は、直接光および間接光による照明が行える照明器具に関する。
【背景技術】
【０００２】
ＬＥＤ（発光ダイオード）などの発光素子を光源とする照明器具の開発が進められている。この照明器具として、例えば住宅の天井面等に取り付けられるシーリングライトがある。シーリングライトは、天井面等の器具取付面に設置された引掛けシーリングボディにアダプタが電気的かつ機械的に接続され、当該アダプタにＬＥＤを光源とする光源部を有する器具本体が取り付けられている。光源部は、直接、床面側を照明するように配置されている。また、器具本体には、光源部を覆う透光性の前面カバーが取り付けられている。
【０００３】
そして、シーリングライトには、器具本体に床面側を照明する主光源部の他に、天井面側を照明する間接光光源部を備えているものがある（例えば特許文献１参照。）。このシーリングライトは、例えば夜間などにおいて、間接光により天井面側のみを照明するように使用される場合がある。
【０００４】
また、シーリングライトは、ＬＥＤ等の充電部を保護する保護部材を配設しているものがある。この保護部材には、器具本体への取付けを容易にするために、例えば爪部を設けて、その爪部が器具本体の穴に挿入され、保護部材が回動されることにより器具本体に係止されるものがある。
【先行技術文献】
【特許文献】
【０００５】
【特許文献１】特開２０１３−３７８５２号公報（第７−８頁、第５図）
【発明の概要】
【発明が解決しようとする課題】
【０００６】
シーリングライトのような照明器具は、間接光で天井面側が照明されているときに、間接光の漏れ光が器具本体の穴に入射し、前面カバー側に出射するものがある。これにより、前面カバー側に不自然な輝度ムラが発生し、前面カバーの発光面が不均一になることがある。
【０００７】
本実施形態は、主光源部を保護する保護部材を容易に取付可能であるとともに、前面カバーに間接光による輝度むらの発生を防止可能な照明器具を提供することを目的とする。
【課題を解決するための手段】
【０００８】
本実施形態の照明器具は、主光源部、間接光光源部、器具本体、電源部、保護部材および前面カバーを有して構成される。
【０００９】
主光源部は、平板状の基板および複数個の主光源を有してなる。複数個の主光源は、基板の一面側に実装されるとともに、基板の周方向に沿って配設される。間接光光源部は、間接光光源を有するものであり、複数個からなる。
【００１０】
器具本体は、表面側に主光源部が設けられ、背面側に複数個の間接光光源部が周方向に沿って設けられる。また、表面および背面に連通する複数個の開口が設けられる。この開口は、複数個の間接光光源部により囲まれる領域内において、器具本体の周方向に沿って設けられる。
【００１１】
電源部は、器具本体の背面側に設けられる。そして、電源部は、主光源部の主光源および間接光光源部の間接光光源に給電し、主光源および間接光光源を点灯させる。
【００１２】
保護部材は、透光性を有するものであり、主光源部の前面側から基板を覆って器具本体に取り付けられる。保護部材は、爪部を有しており、この爪部が器具本体の開口に挿入されて器具本体に係止することにより、器具本体に取り付けられる。前面カバーは、保護部材を覆って器具本体に取り付けられる。
【発明の効果】
【００１３】
本実施形態の照明器具によれば、保護部材の爪部は、間接光光源部により囲まれる領域内の開口において器具本体の背面側に係止するので、間接光光源部から放射される間接光の漏れ光が器具本体の開口および保護部材の爪部に入射することがなく、これにより、前面カバーに間接光による輝度むらが発生しないことが期待できる。
【図面の簡単な説明】
【００１４】
【図１】本実施形態の照明器具を示し、図１（ａ）は下方側から見た概略斜視図、図１（ｂ）は上方側から見た概略斜視図である。
【図２】同上、照明器具の下方側から見た概略分解図である。
【図３】同上、照明器具を示し、図３（ａ）は概略平面図、図３（ｂ）は図３（ａ）のＡ１部分を拡大した概略平面図である。
【図４】同上、照明器具を示し、図４（ａ）は図３（ａ）のＡ−Ａ切断面における概略断面図、図４（ｂ）は図３（ａ）のＢ−Ｂ切断面における概略断面図である。
【図５】同上、照明器具を示し、図５（ａ）は図３（ａ）のＣ−Ｃ切断面における概略断面図、図５（ｂ）は図３（ａ）のＤ−Ｄ切断面における概略断面図である。
【図６】同上、照明器具の要部構成を示すブロック図である。
【発明を実施するための形態】
【００１５】
以下、本発明の実施形態について、図面を参照しながら説明する。図面中の同一部分には、同一符号を付して、その詳しい説明は適宜省略し、異なる部分について説明する。なお、図面は、模式的または概念的なものであり、各部分の厚みと幅との関係、部分間の大きさの比率などは、必ずしも現実のものと同一とは限らない。また、同じ部分を示す場合であっても、図面により互いの寸法や比率が異なって示される場合もある。
【００１６】
本実施形態の照明器具１００は、器具取付面に設置された配線器具としての引掛けシーリングボディに取付けられて使用される一般家庭用のシーリングライトである。照明器具１００は、基板に実装された複数の発光素子を有する光源部から放射される光によって室内の照明を行う。
【００１７】
図１および図２に示すように、照明器具１００は、電源部１１０、器具本体１２０、主光源部１３０、保護部材１４０、前面カバー１５０および間接光光源部１６０を有して構成されている。なお、照明器具１００の外形は、円形であるが、これに限定されない。例えば、照明器具１００の外形は、楕円または方形であってもよい。
【００１８】
前面カバー１５０は、例えば、乳白色のアクリル樹脂成形体であり、透光性を有してなる。前面カバー１５０の下面１５０ａは、発光面を形成する。前面カバー１５０は、器具本体１２０に着脱可能に取り付けられている。
【００１９】
電源部１１０は、冷間圧延鋼板等の金属材料の平板から成形されたシャーシを有する。電源部１１０のシャーシは、環状に組み合せられている。電源部１１０のシャーシの内部には、図２に示すように、制御部１１５を含む回路部品１１６が設けられている。また、電源部１１０は、図１（ｂ）に示すように、上面１１０ａの中央に取付部を構成する嵌合部１１１を有する。嵌合部１１１は、例えば、住宅の天井に設けられた接続器具（配線器具）としての引掛けシーリングボディに嵌合し、器具本体１２０を天井に固定する。嵌合部１１１には、引掛けシーリングボディを案内するアダプタガイド１１３が取り付けられている。
【００２０】
なお、本実施形態において、説明の便宜上、電源部１１０からみて前面カバー１５０の側を「下方」とし、前面カバー１５０からみて電源部１１０の側を「上方」とする。これは、他の構成要素においても同様である。
【００２１】
器具本体１２０は、例えば、冷間圧延鋼板等の金属材料の平板を成形したシャーシである。器具本体１２０の略中央部には、図２に示すように、アダプタガイド１１３を通す穴１２１が形成されている。
【００２２】
主光源部１３０は、図３に示すように、平板状の基板１３１と、複数個の主光源としての発光素子１３３とを有し、接続部を介して電源部１１０と分離可能に設けられる。発光素子１３３は、基板１３１の一面としての下面１３１ａに設けられる。基板１３１は、所定の幅寸法を有した略円弧状の２枚の基板が繋ぎ合わされた構造を有し、全体として略環状に形成されている。つまり、全体として略環状に形成された基板１３１は、２枚の分割された基板を有する。複数個の分割された基板１３１は、基板１３１の内側において、電線１３５などを介してコネクタ（電気接続部）ＣＮにより電気的に接続されている。基板１３１は、器具本体１２０の表面としての下面１２０ａ（図２に示す。）に固定される。なお、基板１３１は、４枚の分割された基板を有していてもよい。
【００２３】
分割された基板を用いることにより、基板１３１の分割部で熱的収縮を吸収して基板１３１の変形を抑制することができる。なお、複数個に分割された基板を用いることが好ましいが、略環状に一体的に形成された一枚の基板が用いられてもよい。さらに、特定の基板１３１の内周側には、電源供給部１３７が設けられている。電源供給部１３７は、具体的にはコネクタＣＮである。点灯装置と電気接続される出力線Ｗ（図示しない。）が電源供給部１３７に接続され、基板１３１の配線パターンを介して複数個の発光素子１３３に電力が供給される。
【００２４】
基板１３１の下面１３１ａには、発光素子１３３の放射光を反射する部材が塗布される。例えば、基板１３１の下面１３１ａには、酸化チタン等を分散した樹脂が塗布される。基板１３１の下面１３１ａに反射部材が塗布されることにより、器具本体１２０の中央部における輝度の低下を防ぐことができる。
【００２５】
基板１３１は、例えば、ガラスエポキシ樹脂などの絶縁性基板と、銅箔を用いて形成された配線とを有する。反射部材は、発光素子１３３が配設された部分を除いた基板１３１の下面１３１ａに塗布される。すなわち、基板１３１は、反射部材により隠された配線を有し、複数個の発光素子１３３を電気的に接続する。
【００２６】
発光素子１３３は、ＬＥＤである。また、発光素子１３３は、表面実装型のＬＥＤパッケージである。ＬＥＤパッケージは、複数個（図３（ａ）の例では２枚）のサークル状の基板１３１の周方向に沿って実装されている。また、ＬＥＤパッケージは、半径の異なる略同心円の周上に複数列（図３（ａ）の例では３列）に亘って実装されている。つまり、ＬＥＤパッケージは、内周側の列、外周側の列および内周側の列と外周側の列との間の中間の列に亘って実装されている。
【００２７】
ＬＥＤパッケージは、概略的には、セラミックスや合成樹脂で形成されたキャビティに配設されたＬＥＤチップと、ＬＥＤチップを封止するエポキシ系樹脂やシリコーン樹脂等のモールド用の透光性樹脂とを有する。
【００２８】
内周側の列に実装されているＬＥＤパッケージには、図３（ｂ）に示すように、発光色が電球色（Ｌ）の発光素子１３３Ｌと、発光色が昼光色（Ｄ）の発光素子１３３Ｄとが用いられている。昼光色（Ｄ）の光の色温度は、電球色（Ｌ）の光の色温度よりも高い。つまり、発光素子１３３Ｄは、電球色（Ｌ）の光の色温度よりも高い色温度の光を放射する。発光素子１３３Ｌおよび発光素子１３３Ｄは、円周上に略等間隔を空けて交互に並べられて配設されている。ＬＥＤチップは、青色光を放射するＬＥＤチップである。透光性樹脂には、蛍光体が混入されている。電球色（Ｌ）および昼光色（Ｄ）の昼光色系の光を放射できるようにするために、蛍光体として、主として青色の光とは補色の関係にある黄色系の光を放射する黄色蛍光体や赤み成分を補うため赤色蛍光体が用いられている。外周側の列のＬＥＤパッケージの実装形態は、内周側の列のＬＥＤパッケージの実装形態と同様である。
【００２９】
中間の列に実装されているＬＥＤパッケージには、発光色が赤色（Ｒ）の発光素子１３３Ｒと、発光色が緑色（Ｇ）の発光素子１３３Ｇと、発光色が青色（Ｂ）の発光素子１３３Ｂとが用いられている。発光素子１３３ＲのＬＥＤチップは、赤色光を放射するＬＥＤチップである。発光素子１３３ＧのＬＥＤチップは、緑色光を放射するＬＥＤチップである。発光素子１３３ＢのＬＥＤチップは、青色光を放射するＬＥＤチップである。これらのＬＥＤチップが、モールド用の透光性樹脂によって封止されている。
【００３０】
発光素子１３３Ｒ、発光素子１３３Ｇおよび発光素子１３３Ｂは、略円周上に順次、発光素子１３３Ｒ、発光素子１３３Ｇおよび発光素子１３３Ｂと連続的に略等間隔を空けて配置されている。
【００３１】
主光源としての発光素子１３３の配光は、保護部材１４０により制御される。保護部材１４０は、図４（ａ）に示すように、器具本体１２０に固定され、発光素子１３３、分割された複数個の基板１３１の間の電気接続部および電源供給部１３７を覆っている。保護部材１４０の材料は、例えば樹脂を含み、透光性を有する。また、保護部材１４０は、主光源部１３０の全体をその前面側から覆っている。すなわち、保護部材１４０は、基板１３１および基板１３１に配設された主光源としての発光素子１３３を覆っている。このため、保護部材１４０は、主光源部１３０を保護する機能を有する。
【００３２】
なお、保護部材１４０の内周側には、基板１３１の電気接続部および電源供給部１３７に対応した凸部１４５が形成されている。凸部１４５は、環状方向である周方向に、コネクタＣＮの寸法よりも長い寸法に形成されている。すなわち、保護部材１４０は、回動させることによって器具本体１２０に着脱する構造であるため、保護部材１４０の回動の際に電気接続部ＣＮおよび電線１３５と干渉しないように、周方向にコネクタＣＮの寸法よりも長い凸部１４５を有している。
【００３３】
そして、保護部材１４０は、レンズ部１４１を有する。レンズ部１４１は、第１の部分１４１ａと、第２の部分１４１ｂと、第３の部分１４１ｃとを有する。また、第１の部分１４１ａと第３の部分１４１ｃとの間、第２の部分１４１ｂと第３の部分１４１ｃとの間、第１の部分１４１ａの内周側および第２の部分１４１ｂの外周側の基板１３１に対応する閉端部１４１ｅの領域には、光拡散部１４１ｆが形成されている。光拡散部１４１ｆは、例えば凹凸パターンを施すことによって形成されている。光拡散部１４１ｆは、拡散シートなどを貼り付けるなど別の手段により形成されても構わない。第１の部分１４１ａは、内周側の列の発光素子１３３（図４（ｂ）の例では、発光素子１３３Ｌおよび発光素子１３３Ｄ）を覆い、内周側の列の発光素子１３３の配光を制御する。第３の部分１４１ｃは、中間の例の発光素子１３３（図４（ｂ）の例では、発光素子１３３Ｒ、発光素子１３３Ｇ、および発光素子１３３Ｂ）を覆い、中間の列の発光素子１３３の配光を制御する。第２の部分１４１ｂは、外周側の列の発光素子１３３（図４（ｂ）の例では、発光素子１３３Ｌおよび発光素子１３３Ｄ）を覆い、外周側の列の発光素子１３３の配光を制御する。つまり、保護部材１４０は、各列に配設された発光素子１３３の配光を列ごとに独立に制御する。これにより、前面カバー１５０の下面（発光面）１５０ａにおける色むらおよび輝度むらを軽減し、色度および輝度の均一化を図ることができる。
【００３４】
ここで、外周側の列の発光素子１３３および内周側の列の発光素子１３３を不点灯とし、中間の列の発光素子１３３だけを点灯させた場合に、レンズ部１４１の形状によっては前面カバー１５０の下面１５０ａにおいて輝線が生ずることがある。より具体的には、例えば図４（ｂ）に表した矢印Ａ１１および矢印Ａ１２のように、中間の列の発光素子１３３から放射された光が第３の部分１４１ｃを透過し、第１の部分１４１ａおよび第２の部分１４１ｂの少なくともいずれかに入射すると、前面カバー１５０の下面１５０ａにおいて輝線が生ずることがある。
【００３５】
これに対して、本実施形態のレンズ部１４１の第３の部分１４１ｃの表面には、拡散処理部１４１ｄが設けられている。例えば、レンズ部１４１の第３の部分１４１ｃの表面には、ドット状の散乱体、いわゆるシボパターンが形成されている。また、発光素子１３３からレンズ部１４１に入射した光のうちの一部の光であって、出射面で反射してレンズ部１４１の背面側の平坦部に向かう光は、保護部材１４０の平坦部１４１ｅの領域に向かう。仮に、光拡散部１４１ｆが形成されていない場合には、保護部材１４０の平坦部１４１ｅで光が反射し、反射した光がレンズ部１４１から出射される。これにより、輝線が発生し、この輝線が前面カバー１５０に映り込むことで、前面カバー１５０の輝度ムラが生じる。これに対して、保護部材１４０の平坦部１４１ｅに光拡散部１４１ｆが形成されることにより、平坦部１４１ｅに向かった光が光拡散部１４１ｆで拡散される。このため、レンズ部１４１からの光度の強い輝線は発生せず、前面カバー１５０の輝度ムラの発生を抑制することができる。
【００３６】
これにより、図４（ｂ）に表した矢印Ａ１３および矢印Ａ１４のように、第３の部分１４１ｃを透過した光は、第３の部分１４１ｃの表面の拡散処理部１４１ｄにより拡散する。すると、第１の部分１４１ａおよび第２の部分１４１ｂに入射する光の量が軽減される。そのため、前面カバー１５０の下面１５０ａにおいて輝線が生ずることを抑えることができる。一方で、第１の部分１４１ａの表面および第２の部分１４１ｂの表面には、拡散処理部は設けられていない。そのため、照明器具１００の光束量が低下することを抑えることができる。なお、薄型化などのために前面カバー１５０とレンズ部１４１との間の距離を小さくした場合には、光拡散部１４１ｆを形成したとしても、輝度の発生を抑制できない場合がある。この場合には、レンズ部１４１の入射面にも拡散処理を施していても構わない。
【００３７】
基板１３１は、図２において説明したように、器具本体１２０の下面１２０ａに固定される。そして、基板１３１は、図５（ａ）に示すように、穴１３１ｂを有する。一方、器具本体１２０の下面１２０ａには、下方へ突出した突起部１２３が設けられている。基板１３１を器具本体１２０の下面１２０ａに取り付ける際には、まず、基板１３１の穴１３１ｂと器具本体１２０の突起部１２３との位置を合わせ、器具本体１２０の突起部１２３を基板１３１の穴１３１ｂに挿入する。これにより、基板１３１を器具本体１２０の下面１２０ａに仮固定あるいは仮置きすることができる。
【００３８】
また、保護部材１４０は、器具本体１２０に固定される。図５（ｂ）に示すように、保護部材１４０は、爪部１４３を有する。爪部１４３は、鉤形の形状を有する。爪部１４３の先端部は、器具本体１２０の下面１２０ａと略平行方向に延在する。一方、器具本体１２０は、開口１２５を有する。開口１２５は、図４（ｂ）に示すように、電源部１１０の内部に露出するように設けられている。図５（ｂ）において、開口１２５の長さＤ１は、爪部１４３の先端部の長さＤ２よりも長い。保護部材１４０を器具本体１２０に取り付ける際には、まず、器具本体１２０の開口１２５と爪部１４３との位置を合わせ、爪部１４３を器具本体１２０の開口１２５に挿入する。続いて、図４（ａ）に示す矢印Ａ１６の方向へ保護部材１４０を回転させる。これにより、保護部材１４０が器具本体１２０に固定される。より具体的には、各爪部１４３は、器具本体１２０の周方向に移動することにより器具本体１２０の背面１２０ｂ側に引っ掛かって係止し、保護部材１４０を器具本体１２０側に引き寄せる。これにより、器具本体１２０と保護部材１４０との間に基板１３１を挟持した状態で、器具本体１２０と保護部材１４０とが嵌合される。こうして、保護部材１４０は、器具本体１２０に容易に取り付けられる。
【００３９】
そして、保護部材１４０は、透光性の前面カバー１５０により覆われている。前面カバー１５０は、図１に示すように、低い膨出の略ドーム状に形成されている。そして、前面カバー１５０は、不図示の取付け手段により、保護部材１４０を覆って器具本体］１２０に着脱可能に取り付けられている。
【００４０】
主光源部１３０は、図６に示すように、電源部１１０に接続されて、制御部１１５の制御により電流の供給が制御されている。また、間接光光源部１６０も主光源部１３０と同様である。電源部１１０は、商用交流電源ＡＣに接続されている。電源部１１０は、直流電源として機能し、商用交流電源ＡＣを受けて直流出力を生成する。
【００４１】
間接光光源部１６０は、図１（ｂ）に示すように、器具本体１２０の背面１２０ｂ側に配設され、主として天井面を照らす機能を有する。間接光光源部１６０は、複数個が電源部１１０の周囲に設けられている。そして、間接光光源部１６０は、基板１６１と、間接光光源としての複数個の発光素子１６３とを有してなる。基板１６１は、例えば略長方形状の平板に形成されている。発光素子１６３は、基板１６１の長手方向に沿って略直線状に並べられて基板１６１に実装されている。発光素子１６３は、例えば電球色（Ｌ）の光を放射するものが用いられている。
【００４２】
そして、間接光光源部１６０は、電源部１１０の上部の側壁側の４箇所に取り付けられている。電源部１１０の上部は、略四角形の形成されている。すなわち、間接光光源部１６０は、略四角形の形状を呈する電源部１１０の上部の側壁側に取り付けられている。また、発光素子１６３の放射光が主として天井側である器具取付面側に照射し、一部の放射光が器具本体１２０の背面１２０ｂ側に入射するように設けられている。４箇所に取り付けられた間接光光源部１６０のそれぞれは、図４（ｂ）に示すように、保護カバー１６５で覆われている。器具本体１２０の開口１２５は、複数個の間接光光源部１６０により囲まれた領域内である電源部１１０の内部において、器具本体１２０の周方向に沿って設けられており、電源部１１０の内部に露出している。
【００４３】
図６において、制御部１１５は、設定情報入出力部１１５ａと、調光制御手段１１５ｂと、記憶手段１１５ｃとを有する。調光制御手段１１５ｂは、設定情報入出力部１１５ａに接続されている。記憶手段１１５ｃは、設定情報入出力部１１５ａに接続されている。設定情報入出力部１１５ａには、リモコン信号受信部１２７が接続されている。記憶手段１１５ｃには、モード記憶部１１８ａが設けられている。
【００４４】
調光制御手段１１５ｂには、ＰＷＭ制御回路１１７ａと、スイッチング制御回路１１７ｂとが設けられている。スイッチング制御回路１１７ｂは、ＰＷＭ制御回路１１７ａに接続されている。ＰＷＭ制御回路１１７ａおよびスイッチング制御回路１１７ｂは、電球色（Ｌ）の光を放射する発光素子１３３Ｌと、昼光色（Ｄ）の光を放射する発光素子１３３Ｄと、赤色（Ｒ）の光を放射する発光素子１３３Ｒと、緑色（Ｇ）の光を放射する発光素子１３３Ｇと、青色（Ｂ）の光を放射する発光素子１３３Ｂと、間接光光源部１６０の発光素子１６３とのそれぞれに対して設けられている。つまり、６個のＰＷＭ制御回路１１７ａおよび６個のスイッチング制御回路１１７ｂが設けられている。
【００４５】
これにより、主光源部１３０と、間接光光源部１６０とを独立して制御可能である。また、発光色ごとの調光制御（個別制御）が可能となっている。したがって、主光源部１３０については、発光色ごとの調光比を調整して発光色ごとの光出力を可変し、電球色（Ｌ）と、昼光色（Ｄ）と、赤色（Ｒ）と、緑色（Ｇ）と、青色（Ｂ）との発光色を混色して所望の発光色を表現することができる。例えば、使用者は、リモコン送信器１８０の不図示の「Ｒ」、「Ｇ」、「Ｂ」ボタンの少なくともいずれかを操作することにより、発光色ごとの調光比を調整して発光色ごとの光出力を変更することができる。
【００４６】
調光制御手段１１５ｂにおけるＰＷＭ制御回路１１７ａは、モード設定情報に基づいてＰＷＭ制御信号を生成してスイッチング制御回路１１７ｂへ送出する。スイッチング制御回路１１７ｂは、ＰＷＭ制御信号に基づいてＰＷＭ制御し、主光源部１３０の各発光素子１３３および間接光光源部１６０の発光素子１６３に電源部１１０からの直流出力を供給する。これにより、モード設定情報に従った調光比で各色の発光素子１３３および発光素子１６３が発光色ごとに制御され、所定の混光比で発光され、全体として混色した発光色が表現される。
【００４７】
次に、本実施形態の作用について述べる。
【００４８】
リモコン送信器１８０を操作して、主光源部１３０の各発光素子１３３を点灯させ、発光色ごとの光出力を設定することにより、所望の発光色を有する混光が前面カバー１５０を透過して床面側を照明する。前面カバー１５０は、その下面１５０ａ全体が光って発光面となる。
【００４９】
そして、リモコン送信器１８０の操作により、間接光光源部１６０の発光素子１６３を点灯させると、発光素子１６３から例えば電球色（Ｌ）の光が放射される。発光素子１６３の放射光は、主として器具取付面側に照射され、天井側を照明する。天井側は、明るくなり、間接光光源部１６０の発光素子１６３のみを点灯させているときには、天井面で反射された弱光により床面側も相応に明るくなる。
【００５０】
また、発光素子１６３の放射光の一部は、器具本体１２０の背面１２０ｂ側に照射される。ここで、器具本体１２０の開口１２５は、間接光光源部１６０により囲まれる領域内である電源部１１０の内部に露出し、間接光光源部１６０の発光素子１６３は、電源部１１０の側壁側から器具本体１２０の外周部側の方向に放射光を照射するので、器具本体１２０の開口１２５および保護部材１４０の爪部１４３には、間接光光源部１６０からの放射光の漏れ光が入射されない。間接光は、保護部材１４０を通って前面カバー１５０に入射されにくくなり、器具取付面側に向かう光により天井面側を照明する。これにより、前面カバー１５０の下面１５０ａに間接光による色むらや輝度むらが生じることがなく、前面カバー１５０の下面１５０ａ全体は、略均一な発光面となる。
【００５１】
本実施形態の照明器具１００によれば、保護部材１４０は、その爪部１４３が器具本体１２０の開口１２５に挿入されて保護部材１４０が回転されることにより器具本体１２０の背面１２０ｂ側に係止するので、器具本体１２０に容易に取り付けることができるという効果を有し、また、器具本体１２０の開口１２５は、間接光光源部１６０により囲まれる領域内に露出するように設けられるので、間接光光源部１６０から放射される間接光の漏れ光が器具本体１２０の開口１２５および保護部材１４０の爪部１４３に入射しにくく、これにより、前面カバー１５０の下面１５０ａに間接光による色むらや輝度むらが発生することを防止することができるという効果を有する。
【００５２】
また、電源部１１０は、略四角形の形状に形成され、その外壁側に間接光光源部１６０が設けられ、その内部に器具本体１２０の開口１２５が露出するように設けられているので、間接光光源部１６０の発光素子１６３が電源部１１０の側壁側から器具本体１２０の外周部側の方向に放射光を照射することにより、間接光光源部１６０から放射される間接光の漏れ光が器具本体１２０の開口１２５および保護部材１４０の爪部１４３に入射しなく、これにより、前面カバー１５０の下面１５０ａに間接光による色むらや輝度むらが発生することをより防止することができるという効果を有する。
【００５３】
なお、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５４】
１００…照明器具、  １１０…電源部、  １２０…器具本体、  １２５…開口、  １３０…主光源部、  １３１…基板、  １３３…主光源としての発光素子、  １４０…保護部材、  １４３…爪部、  １５０…前面カバー、  １６０…間接光光源部、  １６３…間接光光源としての発光素子
【図１】
2015201355.tif 000003
【図２】
2015201355.tif 000004
【図３】
2015201355.tif 000005
【図４】
2015201355.tif 000006
【図５】
2015201355.tif 000007
【図６】
2015201355.tif 000008